(57)【要約】【課題】  外壁材としてサイディングボードを用いた建築物において、内部への雨水の浸入を防ぎ、しかも排水性にも優れたバルコニーや庇などの支持構造を提供すること。【解決手段】  サイディングボード４１の内側に骨格材５１があり、バルコニー等は腕木６１で保持されることを前提として、本発明による支持構造は、腕木６１を骨格材５１に固定する連結具１１と、サイディングボード４１の内側面に接触可能な密着板４６と、密着板４６を押圧する弾性体１７と、を用い、腕木６１をサイディングボード４１の外側に配置する。連結具１１は、外側に突出する貫通体１４を有し、サイディングボード４１には、貫通体１４を余裕で差し込み可能な切り抜き４３を設ける。さらに密着板４６は貫通体１４に沿って変位可能で、弾性体１７で密着板４６を押圧して切り抜き４３を塞ぎ、雨水の浸入を防ぐほか、排水のためサイディングボード４１と腕木６１に隙間を設ける。【選択図】      図１
2015218448.tif 000002
【特許請求の範囲】
【請求項１】
サイディングボード（４１）の外側にバルコニーや庇等を設置するための支持構造であって、
該サイディングボード（４１）の内側には梁などの骨格材（５１）を配置してあり、且つバルコニーや庇等は略水平に伸びる腕木（６１）で架空に保持され、
該腕木（６１）を前記骨格材（５１）に固定する連結具（１１又は３１）と、前記サイディングボード（４１）の内側面に接触可能な密着板（４６又は４８）と、該密着板（４６又は４８）を押圧する弾性体（１７又は３７）と、を用い、
前記連結具（１１又は３１）は、前記骨格材（５１）の表面に接触する当接板（１２又は３２）と、前記サイディングボード（４１）の内外を貫く貫通体（１４又は３４）と、該貫通体（１４又は３４）の先に配置し且つ前記腕木（６１）の端部に形成したスリット（６３）に差し込む直立板（２３又は３３）と、を有し、
前記当接板（１２又は３２）と前記骨格材（５１）は長ボルト（５９）等で一体化し、且つ前記直立板（２３又は３３）と前記腕木（６１）はピン（６９）等で一体化し、
前記サイディングボード（４１）には、前記貫通体（１４又は３４）を余裕で差し込み可能な切り抜き（４３又は４４）を設け、
前記密着板（４６又は４８）には、前記貫通体（１４又は３４）を隙間なく差し込み可能な窓孔（４７又は４９）を設け、該密着板（４６又は４８）は、該貫通体（１４又は３４）に沿って変位可能に配置し、
前記弾性体（１７又は３７）は、前記当接板（１２又は３２）と前記密着板（４６又は４８）の間に配置し、該密着板（４６又は４８）を前記サイディングボード（４１）に押圧することで、前記切り抜き（４３又は４４）を塞ぐことを特徴とする支持構造。
【発明の詳細な説明】
【技術分野】
【０００１】
本発明は、外壁材としてサイディングボードを用いた建築物において、バルコニーや庇などを設置するための支持構造に関する。
【背景技術】
【０００２】
建築物の側面は、戸や窓などの開口部を除き外壁材で覆われるが、洗濯物の乾燥や眺望の確保などを目的として、上階の側面にバルコニーやベランダを設置することがある。また戸や窓の遮光や雨除けのため、庇を設置することも多い。このようなバルコニーや庇などは、ほぼ水平に伸びる腕木で架空に保持されるが、その強度を確保するため、腕木は、梁などの骨格材と強固に連結する必要があり、必然的に外壁の内外を貫く。そのため外壁と腕木の隙間には、何らかの止水対策を施し、建築物内部への雨水の浸入を防止する。なお、バルコニーやベランダに関する技術開発の例として、以下の特許文献が挙げられる。
【０００３】
特許文献１では、壁内への水の侵入を防止すると共に、外観品質の確保を図り、併せてメンテナンスにも優れたバルコニー雨仕舞い構造が開示されている。この構造では、バルコニーの外縁を囲む手摺部内壁を上下に分割し、下に位置する下側手摺部内壁と、上に位置する上側手摺部内壁を離れて配置する。そして水切りのため、両内壁の隙間にゴム引き布を貼り付け、併せて、上側手摺部内壁の下部外面に水切り補強板を取り付け、その先に水切りカバーを取り付け、前記のゴム引き布を覆い隠す。この発明は、施工時の作業性に優れるほか、壁内への水の侵入も防止でき、しかも水切りカバーは簡単に取り外し可能で、メンテナンスも容易である。
【０００４】
特許文献２では、ベランダなどを支える腕木を骨格材に取り付ける支持金物が開示されている。この支持金物は、梁などの骨格材の側面に接触するフランジと、腕木を差し込むため筒状に形成された差込部などで構成され、差込部の下部には切り欠き状の窓部を設け、腕木の下面を露出させている。そのため、ベランダの裏側を塞ぐ天井板を無理なく安定して取り付けることができる。
【先行技術文献】
【特許文献】
【０００５】
【特許文献１】特開平６−１４６５５９号公報
【特許文献２】特開２０１１−１１７２１９号公報
【発明の概要】
【発明が解決しようとする課題】
【０００６】
各種建築物において、施工作業の効率化や外観の向上などを目的として、外壁材にサイディングボードを用いることがある。このような建築物にバルコニーや庇などを設置する場合、その腕木は、必然的にサイディングボードの内外を貫くように配置される。そのため腕木の配置に応じて、サイディングボードに切り抜きを形成するが、サイディングボードの取り付け精度には限度があり、切り抜きの大きさに余裕を持たせ、施工時の手間を増やさないよう配慮することが多い。
【０００７】
サイディングボードの切り抜きに余裕を持たせる場合、雨水の浸入を防ぐため、腕木との隙間は、シーリング材などで埋める。しかしシーリング材は、経年劣化の恐れがあり、しかもバルコニーなどが設置されることでシーリング材が覆い隠され、保守点検も難しくなる。そのため建築物内部に雨水が浸入して、居住者などに認識されることなく、骨格材などの劣化が進むことがある。また切り抜きの周辺には複数の部品が配置されるため、排水性が悪くなりやすく、水滴の残留で湿潤状態が続き、腕木などに悪影響を与えることがある。
【０００８】
本発明はこうした実情を基に開発されたもので、外壁材としてサイディングボードを用いた建築物において、内部への雨水の浸入を防ぎ、しかも排水性にも優れたバルコニーや庇などの支持構造の提供を目的としている。
【課題を解決するための手段】
【０００９】
前記の課題を解決するための請求項１記載の発明は、サイディングボードの外側にバルコニーや庇等を設置するための支持構造であって、該サイディングボードの内側には梁などの骨格材を配置してあり、且つバルコニーや庇等は略水平に伸びる腕木で架空に保持され、該腕木を前記骨格材に固定する連結具と、前記サイディングボードの内側面に接触可能な密着板と、該密着板を押圧する弾性体と、を用い、前記連結具は、前記骨格材の表面に接触する当接板と、前記サイディングボードの内外を貫く貫通体と、該貫通体の先に配置し且つ前記腕木の端部に形成したスリットに差し込む直立板と、を有し、前記当接板と前記骨格材は長ボルト等で一体化し、且つ前記直立板と前記腕木はピン等で一体化し、前記サイディングボードには、前記貫通体を余裕で差し込み可能な切り抜きを設け、前記密着板には、前記貫通体を隙間なく差し込み可能な窓孔を設け、該密着板は、該貫通体に沿って変位可能に配置し、前記弾性体は、前記当接板と前記密着板の間に配置し、該密着板を前記サイディングボードに押圧することで、前記切り抜きを塞ぐことを特徴とする支持構造である。
【００１０】
本発明は、外壁材としてサイディングボードを用いた建築物において、バルコニーや庇などの外部構造物を設置するための支持構造で、外部構造物を架空に保持する腕木を建築物の骨格材に取り付けるためのものである。なおサイディングボードは、セメントや金属や木材などを素材とした板状の外壁材で、工場で製品化され、建築物の側面に隙間なく敷き詰めることで外壁が完成する。そのため施工作業の合理化が可能で、外観や耐水性などに優れる。
【００１１】
骨格材は、建築物の骨格を構成する梁や柱などを指し、サイディングボードの内側に配置される。また腕木は、バルコニーなどを架空に保持する棒状の木材で、ほぼ水平方向に伸び、その一端は骨格材で支持され、他端はバルコニーの床面や庇の内部に差し込まれる。ただし本発明において腕木は、サイディングボードの内外を貫くように配置される訳ではなく、その全体がサイディングボードの外側に配置される。なお腕木は、一本だけで使用する訳ではなく、水平方向に沿って複数を並べ、外部構造物に作用する荷重を受け止める。
【００１２】
連結具は、腕木を骨格材に固定するための部品群で、当接板と貫通体と直立板を有することを前提とするが、これらの具体的な形状は自在である。当接板は、連結具を安定して据え置くため、骨格材の表面に接触する部分で、ボルトや釘類などを用いて、当接板を骨格材に固定する。また貫通体は、当接板から直交するように伸び、サイディングボードの内外を貫き、建築物の外部に突出する部分である。なお貫通体の形態は、棒状や板状など自在に選択できる。
【００１３】
直立板は、連結具と腕木を一体化する役割を有し、貫通体の先で且つサイディングボードの外側に配置され、腕木の端部に加工されたスリットに差し込む板状で、垂直荷重に耐えられるよう、文字通り垂直に配置される。また直立板を収容するスリットは、腕木端部の上下面を結ぶように加工する。なお連結具の貫通体を板状とするならば、貫通体と直立板を一つの部品に集約することもできる。そのほか直立板やスリットは、強度上、平行に二列配置とすべきだが、一列とすることもできる。
【００１４】
密着板は、貫通体をガイドとして変位可能に配置され、しかもサイディングボードの内側面に接触可能な板である。そのため密着板には、貫通体を差し込むための窓孔を形成する。窓孔は、密着板の変位を妨げない範囲で、貫通体との隙間をできるだけ小さくして、雨水の浸入を防止する。
【００１５】
弾性体は、コイルバネなど、軸線方向に圧縮することで反力を発生するもので、当接板と密着板の間に配置して、密着板を強制的にサイディングボードに押圧する役割を有する。なお脱落を防止するため、弾性体は、貫通体やボルトなどで保持する。弾性体は、密閉性を確保する上で重要な部品で、一個の連結具について、複数用いることが好ましい。
【００１６】
サイディングボードには、貫通体を通過させるため、切り抜きを形成する。切り抜きは、サイディングボードの据え付け誤差などを考慮して、貫通体に対し、余裕を持たせた大きさとする。そのため、切り抜きと貫通体には隙間が生じるが、その背後にある密着板で隙間を塞ぐことで、内部への雨水の浸入を防止する。したがって密着板は、サイディングボードの切り抜きを完全に塞ぐことのできる大きさとする。
【００１７】
連結具の具体的な形状は、前記のように自在で、一枚の鋼板を折り曲げ、当接板から直立板までを一体化することもできるが、貫通体と直立板を別途に製造して、ボルトなどで一体化することもできる。またサイディングボードに形成する切り抜きや、密着板に形成する窓孔は、貫通体の形状に応じて決まり、仮に貫通体が丸棒状であれば、これらも円形になるほか、貫通体が板状であれば、これらは細長い長方形となる。
【００１８】
このように、サイディングボードの内側に密着板と弾性体を配置して、密着板をサイディングボードの内側面に押圧させることで、シーリングなどの作業をすることなく、内部への雨水の浸入を防止できる。また密着板と弾性体を用いることで、骨格材とサイディングボードの距離が異なる場合でも、問題なく機能を発揮でき、同一形状の連結具を様々な状況で汎用的に使用できる。さらに腕木は、直立板を介して連結具と一体化するため、その全体がサイディングボードの外側に配置され、サイディングボードと腕木に隙間を設けることも容易で、水滴の残留も防止できる。
【発明の効果】
【００１９】
請求項１記載の発明のように、バルコニーなどの外部構造物を架空に保持する腕木の支持構造として、貫通体を有する連結具と、貫通体に沿って変位可能な密着板と、密着板をサイディングボードに押圧する弾性体などを用いることで、腕木全体をサイディングボードの外側に配置して、サイディングボードに形成した切り抜きを密着板で完全に塞ぐことができ、建築物内部への雨水などの浸入を防止できる。そのため施工時、シーリング材の塗布などの水対策が不要になり、作業が簡素化されるほか、シーリング材の劣化を考慮する必要がなく、施工後の保守管理も容易である。
【００２０】
また密着板を弾性体で押圧するため、骨格材とサイディングボードの距離が異なる場合でも、無理なく本来の機能が発揮され、同一形状の連結具を様々な状況で汎用的に使用できる。さらに、サイディングボードの外部に突出した直立板を用いて腕木を固定することで、サイディングボードと腕木にある程度の隙間を確保することができる。そのため排水性が良好で、腕木などに水滴が付着した場合でも、長期に残留することはなく、腕木の腐食などを防止できる。
【図面の簡単な説明】
【００２１】
【図１】本発明による支持構造の具体例を示す斜視図である。
【図２】図１の支持構造を建築物の内側から見た状態を示す斜視図である。
【図３】図１の各要素を組み付けていく途中段階を示す斜視図である。
【図４】図３の後、サイディングボードを敷き詰めた状態を示す斜視図である。
【図５】図１の各要素を組み付けた最終段階を示す斜視図と横断面図である。
【図６】図１とは異なる支持構造の具体例を示す斜視図である。
【図７】図６の各要素を組み付けていく途中段階を示す斜視図である。
【図８】図６の各要素を組み付けた最終段階を示す斜視図と横断面図である。
【図９】本発明を用い、建築物の側面にバルコニーを設置した場合を示す斜視図である。
【発明を実施するための形態】
【００２２】
図１は、本発明による支持構造の具体例で、サイディングボード４１を挟んで対向する骨格材５１と腕木６１を連結具１１で一体化している。サイディングボード４１は、建築物の側面全域を覆うが、この図ではそのごく一部だけを描いてある。また骨格材５１は、水平方向に伸びる梁で、建築物の骨格を構成している。そして腕木６１は、バルコニーや庇などを支持する棒材で、サイディングボード４１から突出するように配置される。なお腕木６１は連結具１１で固定され、その全体がサイディングボード４１の外側に配置される。
【００２３】
連結具１１は、サイディングボード４１の内側に配置される当接板１２と、当接板１２から伸びる貫通体１４と、腕木６１の内部に差し込まれる金具２１で構成され、そのうち当接板１２は、矩形状に切り抜かれた金属板で、骨格材５１の側面に接触する。また貫通体１４は、円柱状の金属棒で上下に二本配置される。そして貫通体１４の一端には、断面が絞り込まれた突起１５を形成してあり、突起１５が当接板１２を貫いている。対して貫通体１４の他端は、内部がくり抜かれ、円断面のホゾ穴１９を形成してある。
【００２４】
当接板１２から飛び出す突起１５を差し込むため、骨格材５１の側面には、丸溝５４を加工してある。丸溝５４は、突起１５を隙間なく嵌め込むことのできる大きさで、連結具１１の変位を規制する。また連結具１１は、長ボルト５９を介して骨格材５１と一体化する。そのため丸溝５４の奥には、長ボルト５９の軸部を差し込む中孔５３を加工してあり、その先には、長ボルト５９の頭部を収容するザグリ５２を加工してある。なおザグリ５２の変形を防止するため、長ボルト５９の頭部にワッシャ５８を組み込む。
【００２５】
貫通体１４は、サイディングボード４１の切り抜き４３を経て、外部に突出する。そして外部に突出した貫通体１４の先端には、金具２１を嵌め込む。金具２１は、連結具１１と腕木６１の接続を担い、金属板をコの字状に成形したもので、中央に位置する正面板２２と、その側端から突出する二枚の直立板２３で構成され、正面板２２には、上下に並ぶ二個の丸ホゾ２４を形成してある。丸ホゾ２４は、正面板２２を押し出して成形したもので、貫通体１４のホゾ穴１９に隙間なく嵌まり込むよう、位置や大きさを調整してある。なお金具２１は、短ボルト２９を介して貫通体１４と一体化する。
【００２６】
腕木６１の端部には、金具２１の直立板２３を差し込むため、二列のスリット６３を加工してある。また腕木６１の端面において、二列のスリット６３の間には、金具２１の正面板２２を収容するため、段差６２を加工してある。そして直立板２３をスリット６３に差し込んだ後、腕木６１の側面からピン６９を打ち込み、双方を一体化する。ピン６９を通過させるため直立板２３には、上下二組のピン孔２６と、その上のピン溝２５を設けてあり、さらに腕木６１の側面には、ピン孔２６やピン溝２５と同心となる位置に横孔６５を加工してある。横孔６５は、二列のスリット６３と交差して反対面に到達している。
【００２７】
密着板４６は、当接板１２とサイディングボード４１の間に配置され、しかも貫通体１４をガイドとして変位可能に配置される。そのため密着板４６には、貫通体１４と同径の窓孔４７を設けてあり、密着板４６の変位を許容しながらも、窓孔４７からの雨水の浸入を防ぐ。さらに当接板１２と密着板４６の間には、コイルバネを用いた弾性体１７を配置する。弾性体１７は、脱落防止のため貫通体１４に組み込み、密着板４６をサイディングボード４１に押圧するよう、自然長を調整してある。
【００２８】
サイディングボード４１には、貫通体１４を差し込むため、切り抜き４３を形成する。切り抜き４３は、施工作業を簡素化するため、建築物の側面に敷き詰める前に形成するが、据え付け誤差などを考慮して、貫通体１４に対し、大きさに余裕を持たせる。そのため密着板４６は、切り抜き４３の全域を無理なく塞ぐ大きさとする。なおこの図の切り抜き４３は、円形のものを上下二箇所に配置しているが、上下がつながった長円形のものに置き換えることもできる。
【００２９】
図２は、図１の支持構造を建築物の内側から見た状態である。骨格材５１と貫通体１４は、長ボルト５９で引き寄せており、貫通体１４の中心には、長ボルト５９と螺合できるよう、メネジ１８を形成してある。また長ボルト５９を差し込むため、骨格材５１には、ザグリ５２と中孔５３を加工してあり、さらに長ボルト５９の陥没を防ぐため、ワッシャ５８を組み込んでいる。
【００３０】
貫通体１４の一端側には、直径を絞り込んだ突起１５を設けてあり、これが当接板１２の受け孔１６を抜け、骨格材５１の丸溝５４に嵌まり込む。なお当接板１２と貫通体１４は、溶接や接着で一体化してもよい。長ボルト５９をメネジ１８に螺合させ締め付けると、双方が引き合い、当接板１２が骨格材５１に密着する。
【００３１】
サイディングボード４１の外側に配置される金具２１は、正面板２２と直立板２３で構成されるコの字状で、正面板２２には丸ホゾ２４を形成してある。丸ホゾ２４を貫通体１４のホゾ穴１９に嵌め込むことで、金具２１の変位が規制され、さらに二枚の直立板２３の間から短ボルト２９を差し込み、その先端を貫通体１４のメネジ１８に螺合させると、金具２１が貫通体１４に固定される。なお短ボルト２９の軸部を差し込むため、丸ホゾ２４の中心には丸孔２８を設けてあるほか、短ボルト２９の頭部は、丸ホゾ２４の内部に収容される。
【００３２】
図３は、図１の各要素を組み付けていく途中段階を示している。当接板１２と貫通体１４を一体化した後、骨格材５１の側面に当接板１２を接触させ、骨格材５１の背面から長ボルト５９を差し込むと、長ボルト５９と貫通体１４が引き合い、当接板１２が骨格材５１に密着する。次に、貫通体１４の周囲に弾性体１７を配置して、さらに密着板４６を貫通体１４に組み込む。密着板４６の窓孔４７は、貫通体１４に対し摺動可能に形成され、密閉性を確保しながらも、密着板４６の変位を規制することはない。なお弾性体１７が自然な状態の際、密着板４６は貫通体１４の先端付近に押しやられる。
【００３３】
図４は、図３の後、サイディングボード４１を敷き詰めた状態を示している。サイディングボード４１を敷き詰めると、骨格材５１とサイディングボード４１の配置により、密着板４６は骨格材５１側に押し込まれ、弾性体１７が圧縮される。その結果、密着板４６は、サイディングボード４１の内側面に密着する。密着板４６は、サイディングボード４１の切り抜き４３よりも大きいため、貫通体１４外縁の隙間を完全に塞ぎ、密閉性を確保する。
【００３４】
貫通体１４は、切り抜き４３を貫いてサイディングボード４１の外部に突出しており、その先端に金具２１を取り付ける。その結果、金具２１は、サイディングボード４１と接触することはなく、雨水は表面張力などの影響を受けることなく素早く落下する。またバルコニーなどの荷重でサイディングボード４１が圧迫されることもなく、サイディングボード４１の変形や割れなども防ぐことができる。
【００３５】
図５は、図１の各要素を組み付けた最終段階を示している。腕木６１のスリット６３に金具２１の直立板２３を差し込み、さらに腕木６１の側面からピン６９を打ち込み、金具２１と腕木６１を一体化する。その結果、腕木６１は、連結具１１を介して骨格材５１で支持され、且つ腕木６１全体がサイディングボード４１の外側に配置され、サイディングボード４１の側面と腕木６１の端面に隙間が確保される。また弾性体１７は圧縮され、その反力で密着板４６はサイディングボード４１に密着する。なお貫通体１４の突起１５は、骨格材５１の丸溝５４に嵌り込むほか、金具２１の丸ホゾ２４は、貫通体１４のホゾ穴１９に嵌り込むため、経年による腕木６１の落下や傾きを防止できる。
【００３６】
図５の横断面のように、サイディングボード４１と腕木６１には隙間があり、腕木６１周辺に降り注いだ雨水の大半はここから落下していく。また貫通体１４に付着した雨水についても、密着板４６でせき止められ、内部に浸入することはない。このように本発明では、サイディングボード４１に形成された切り抜き４３を密着板４６で塞ぐため、シーリング材が不要で、施工時の手間や時間を削減できるほか、シーリング材のメンテナンスも不要である。なお弾性体１７や密着板４６などは、耐候性に優れた素材を使用することで、長期の信頼性を確保できる。
【００３７】
図６は、図１とは異なる支持構造の具体例を示している。この図でも、骨格材５１と腕木６１がサイディングボード４１を挟んで向かい合い、双方を連結具３１で一体化することは同じだが、この連結具３１は、鋼板を二箇所で折り曲げたコの字状で、骨格材５１に接触する当接板３２から、腕木６１に加工されたスリット６３に差し込む直立板３３までが一体化している。
【００３８】
当接板３２は、骨格材５１の側面に接触し、且つ長ボルト５９の軸部を差し込むため、上下二箇所に丸孔３８を設けてある。また骨格材５１には、長ボルト５９を差し込むため、中孔５３を加工してあるほか、長ボルト５９の頭部とワッシャ５８を収容するため、中孔５３の端部にザグリ５２を加工してある。骨格材５１の背面から長ボルト５９を差し込み、その先端を丸孔３８から突出させ、そこにナット３９を螺合して締め付けると、当接板３２が骨格材５１に密着して、連結具３１が固定される。
【００３９】
連結具３１の貫通体３４と直立板３３は、切れ目なく一体化しているが、便宜上、腕木６１のスリット６３に差し込まれる範囲を直立板３３として、それよりも根元側を貫通体３４とする。貫通体３４は、当接板３２から伸び、サイディングボード４１を通り抜け外部に突出する。なお腕木６１のスリット６３に直立板３３を差し込み、双方をピン６９で一体化することは図１と同じである。そのため直立板３３には、ピン孔３６とピン溝３５を設け、腕木６１の側面に横孔６５を加工する。
【００４０】
密着板４８は単純な矩形状で、貫通体３４を差し込むため、細く上下に伸びる長方形の窓孔４９を設けてある。窓孔４９に貫通体３４を差し込むと、密着板４８は、貫通体３４をガイドとして変位可能だが、窓孔４９に隙間はなく雨水の浸入を防ぐ。またサイディングボード４１には、貫通体３４に応じて二列の切り抜き４４を設けてあるが、これは貫通体３４に対して余裕を持った大きさとしてある。なおこの図では、切り抜き４４を二列としているが、二枚の貫通体３４の間隔がより狭い場合、左右の切り抜き４４を一体化することもできる。
【００４１】
弾性体３７は、当接板３２と密着板４８の間に配置するが、長ボルト５９の軸部に差し込み脱落を防止する。そのため長ボルト５９は、二枚の貫通体３４の間を突き進むよう、延長を増してある。弾性体３７の反力により、密着板４８はサイディングボード４１に密着し、切り抜き４４を完全に塞ぐ。なおサイディングボード４１の切り抜き４４は、この図のように周囲が閉じた形態に限定される訳ではなく、サイディングボード４１の端面に到達する開放形となることもある。
【００４２】
図７は、図６の各要素を組み付けていく途中段階を示している。長ボルト５９とナット３９を用いて連結具３１を骨格材５１に固定し、さらにナット３９から突出する長ボルト５９の先端付近に弾性体３７を組み込み、次に、密着板４８の窓孔４９に貫通体３４を差し込む。引き続きサイディングボード４１を敷き詰めると、弾性体３７が圧縮され、その反力で密着板４８がサイディングボード４１に密着して、密閉性を確保する。
【００４３】
図８は、図６の各要素を組み付けた最終段階を示している。腕木６１のスリット６３に直立板３３を差し込み、さらに腕木６１の側面からピン６９を打ち込み、連結具３１と腕木６１を一体化する。その結果、腕木６１は、連結具３１を介して骨格材５１で支持されるほか、弾性体３７は圧縮され、その反力で密着板４８がサイディングボード４１に接触する。そのほか、サイディングボード４１と腕木６１に隙間が生じるよう、ピン６９の打ち込み位置を調整してあり、腕木６１全体がサイディングボード４１の外側に配置される。
【００４４】
図９は、本発明を用い、建築物の側面にバルコニーを設置した場合を示している。腕木６１は、図１や図６に示す支持構造で架空に保持され、サイディングボード４１と接触することなく、外側に突出している。この腕木６１を利用して床板や手摺などを設置することで、バルコニーが完成する。なお支持構造は、図５や図８に示すように、サイディングボード４１の切り抜き４３、４４を密着板４６、４８で塞いでおり、雨水の浸入を防止する。
【符号の説明】
【００４５】
１１  連結具
１２  当接板
１４  貫通体
１５  突起
１６  受け孔
１７  弾性体
１８  メネジ
１９  ホゾ穴
２１  金具
２２  正面板
２３  直立板
２４  丸ホゾ
２５  ピン溝
２６  ピン孔
２８  丸孔
２９  短ボルト
３１  連結具
３２  当接板
３３  直立板
３４  貫通体
３５  ピン溝
３６  ピン孔
３７  弾性体
３８  丸孔
３９  ナット
４１  サイディングボード
４３  切り抜き（円形）
４４  切り抜き（長方形）
４６  密着板
４７  窓孔（円形）
４８  密着板
４９  窓孔（長方形）
５１  骨格材
５２  ザグリ
５３  中孔
５４  丸溝
５８  ワッシャ
５９  長ボルト
６１  腕木
６２  段差
６３  スリット
６５  横孔
６９  ピン
【図１】
2015218448.tif 000003
【図２】
2015218448.tif 000004
【図３】
2015218448.tif 000005
【図４】
2015218448.tif 000006
【図５】
2015218448.tif 000007
【図６】
2015218448.tif 000008
【図７】
2015218448.tif 000009
【図８】
2015218448.tif 000010
【図９】
2015218448.tif 000011